(57)【要約】【課題】従来の複数の記録媒体供給部を備える画像記録装置による記録媒体供給方法は、供給搬送経路の距離差又は記録媒体の長さにより画像記録部までの到達時間が異なり  画像記録タイミングの重なりを防止するための無駄な待機時間が発生し効率的ではない。【解決手段】本発明は、複数の記録媒体供給部から画像記録部までの記録媒体の供給搬送時間に基づき、上位装置からの供給指示順に応じて、記録媒体供給部からの画像記録媒体の供給開始タイミングを決定することにより、複数の記録媒体供給部からの供給順を変更して、無駄な待機時間を減少させて、画像記録に掛かる時間を短縮させて効率よく連続的に画像記録を行う画像記録装置の記録媒体供給方法である。【選択図】      図６
2006044805.tif 000002
【特許請求の範囲】
【請求項１】
記録媒体に画像を形成する画像記録手段と、
収納された複数の記録媒体を１枚ずつ分離して、画像記録手段に向けて供給する複数の供給手段と、
前記供給手段から供給された前記記録媒体を前記画像記録手段に搬送する媒体搬送手段と、
前記媒体搬送手段の搬送経路上で前記画像記録手段の上流に配設され、前記供給手段から供給された前記記録媒体を整列させるレジストレーション手段と、
前記画像記録手段により画像が記録された記録媒体を装置外へ排出するための排紙手段と、
を備える画像記録装置の記録媒体供給方法であって、
前記複数の供給手段へ任意に連続的に記録媒体が供給されるように供給指示された場合、供給開始タイミングに依らず、後に記録指示された記録媒体は、先に記録指示された記録媒体よりも後に画像が記録されて排出されるように、画像記録媒体の供給開始タイミングを決定することを特徴とする画像記録装置の記録媒体供給方法。
【請求項２】
前記供給手段から供給された前記記録媒体が前記レジストレーション手段に到達するまでの時間が前記供給手段毎に異なっている場合には、供給順と排紙順が必ずしも一致しないように供給開始タイミングが決定されることを特徴とする請求項１に記載の画像記録装置の記録媒体供給方法。
【請求項３】
前記供給手段毎に収納されている前記記録媒体の長さが異なる場合には、供給順と排紙順が必ずしも一致しないように供給開始タイミングが決定されることを特徴とする請求項１又は２に記載の画像記録装置の記録媒体供給方法。
【請求項４】
画像記録部まで到達する時刻が異なる複数の記録媒体供給部を有し、画像記録順に従う供給指示順に応じて該記録媒体供給部のいずれかから取り出して連続的に供給された記録媒体に画像を記録する画像記録装置の記録媒体供給方法において、
前記記録媒体が前記記録媒体供給部から取り出されて前記画像記録部へ前記画像記録順に到達するように、前記供給指示順に規制されず前記到達する時刻に基づく供給開始タイミングを決定し、該供給開始タイミングに従って指示された前記記録媒体供給部から該記録媒体の供給を開始することを特徴とする画像記録装置の記録媒体供給方法。
【請求項５】
前記供給開始タイミングを求めるための基準として、搬送される前記記録媒体が前記画像記録部の上流側に配設されたレジストレーション部に到達した時と、該画像記録部により画像が記録された前記記録媒体が排出ローラ部を抜け出た時を基準とすること特徴とする請求項４に記載の画像記録装置の記録媒体供給方法。
【請求項６】
前記供給開始タイミングは、先に供給されて画像が記録された記録媒体が前記排出ローラ部を抜け出た時に、後続する記録媒体が該排出ローラ部に到達又は通過を開始するように、前記記録媒体の前記記録媒体供給部からの取り出すタイミングを遅延することを特徴とする請求項５に記載の画像記録装置の記録媒体供給方法。
【発明の詳細な説明】
【技術分野】
【０００１】
本発明は、複数の記録媒体供給部を有し、供給指示順に応じて記録媒体供給部から連続して供給された記録媒体に画像記録部にて画像を記録する画像記録装置の記録媒体供給方法に関する。
【背景技術】
【０００２】
一般に、サイズが同じ又は異なる記録媒体を収納する複数の記録媒体供給部を備え、ユーザの指示や供給指示順に応じて記録媒体供給部から画像記録部へ記録媒体を供給して、画像記録を行う画像記録装置が知られている。例えば、特許文献１には、記録紙を記録媒体として印刷開始前に既知の用紙長に基づき、用紙搬送タイミングを決定した後に、印刷を開始する技術が開示されている。
【０００３】
他にも、記録媒体を１枚ずつ供給して、画像記録部より上流側に設けた記録媒体検出手段により、画像記録部に先の記録媒体が到達したことを検出した後、後続する記録媒体の供給を開始することにより、記録タイミングの重なりを防止する方法も知られている。
【特許文献１】特許第３１７８８５１号公報
【発明の開示】
【発明が解決しようとする課題】
【０００４】
前述したように複数の記録媒体供給部を備える画像記録装置は、通常、異なる又は一部が重なった搬送経路を通過して記録媒体が画像記録部に供給されている。このような構成においては、それぞれの記録媒体供給部から画像記録部までの搬送経路の距離が異なり又は搬送経路におけるローラ等の搬送機構の違いから、供給開始から画像記録部に到達するまでに要する時間が記録媒体供給部毎に異なる場合が生じる。
【０００５】
従って、異なる記録媒体供給部から順序不同で且つ連続して記録媒体を供給し画像記録を行う場合、各記録媒体が画像記録部に到達するまでの時間が異なる。これにより画像記録タイミングの重なりを防止する必要があり、先の記録媒体が画像記録部に到達した後、次に続く記録媒体の搬送を開始することとなるため、無駄な待機時間が発生し、効率的に連続印刷を行っていない問題がある。
【０００６】
また、特許文献１のように、画像記録を行う前に予め記録媒体の長さから用紙搬送タイミングを決定した場合であっても、記録媒体の取り出し順が変わらないため、搬送経路毎に到達時間が異なれば、同様に無駄な待機時間が発生し、必ずしも最短時間で画像記録を行っているものではない。
【０００７】
そこで本発明は、複数の記憶媒体収納部から異なる又は一部が重なった供給搬送経路を経て供給される同一又は異なる長さの記録媒体を連続的に且つ効率よく画像記録を行い、画像記録に掛かる時間の短縮化を実現することができる画像記録装置の記録媒体供給方法を提供することを目的とする。
【課題を解決するための手段】
【０００８】
本発明は上記目的を達成するために、記録媒体に画像を形成する画像記録手段と、収納された複数の記録媒体を１枚ずつ分離して、画像記録手段に向けて供給する複数の供給手段と、前記供給手段から供給された前記記録媒体を前記画像記録手段に搬送する媒体搬送手段と、前記媒体搬送手段の搬送経路上で前記画像記録手段の上流に配設され、前記供給手段から供給された前記記録媒体を整列させるレジストレーション手段と、前記画像記録手段により画像が記録された記録媒体を装置外へ排出するための排紙手段とを備える画像記録装置の記録媒体供給方法であって、前記複数の供給手段へ任意に連続的に記録媒体が供給されるように供給指示された場合、供給開始タイミングに依らず、後に記録指示された記録媒体は、先に記録指示された記録媒体よりも後に画像が記録されて排出されるように、画像記録媒体の供給開始タイミングを決定する画像記録装置の記録媒体供給方法を提供する。
【発明の効果】
【０００９】
本発明の画像記録装置の記録媒体供給方法によれば、記録媒体供給部から画像記録部までの記録媒体の供給搬送時間と、上位装置からの供給指示順に応じて、記録媒体供給部からの画像記録媒体の供給開始タイミングを決定することにより、複数の記録媒体供給部からの供給順を変更して、無駄な待機時間を減少させて、画像記録に掛かる時間を短縮させて効率よく連続的に画像記録を行うことができる。
【発明を実施するための最良の形態】
【００１０】
以下、図面を参照して本発明の実施形態について詳細に説明する。  
図１は、本発明の一実施形態に係る記録媒体供給方法を実現するために用いられる画像記録装置の概略的な構成を示す図である。図２は、図１に示す画像記録装置におけるブロック構成図である。  
この画像記録装置は大別して、記録媒体供給部１と、画像記録部２と、搬送機構３と、記録媒体排出部４と、制御部５とで構成される。
【００１１】
記録媒体供給部１は、複数の記録媒体収納部１１（１１ａ，１１ｂ，１１ｃ）と、各記録媒体収納部１１に設けられたピックアップローラ１２（１２ａ，１２ｂ，１２ｃ）と、レジストレーションローラ対１３と、供給搬送経路が異なる又は一部が重なった供給搬送経路６（６ａ，６ｂ，６ｃ）とで構成される。
【００１２】
この構成において、記録媒体収納部１１毎に供給搬送経路の長さが異なっているため、記録媒体の搬送速度が同じであれば、記録媒体収納部１１から出て、レジストレーションローラ対１３又は画像記録部２に到達するまでに掛かる到達時刻が異なっている。
【００１３】
記録媒体収納部１１は、少なくとも１枚の記録媒体を収納する記録媒体収納部である。尚、本実施形態においては、記録媒体収納部１１が例えばトレイからなり、記録媒体として、カットシート状の複数枚の記録紙が収納されるものを一例としている。ピックアップローラ１２は、各記録媒体収納部１１に収納される記録媒体を１枚づつ取り出す記録媒体取り出し機構である。また、レジストレーションローラ対１３は、ピックアップローラ１２により取り出され、供給搬送経路６から到来した記録媒体を当て付けて、画像記録時の搬送方向（記録媒体搬送方向）に対して位置合わせを行う搬送方向補正機構である。
【００１４】
ピックアップローラ１２とレジストレーションローラ対１３は、図２に示すように、モータ等からなる駆動部７からの駆動力が共通の駆動力伝達系８により伝達されて回転する。
【００１５】
駆動部７には、エンコーダ９が接続されており、検出したモータ回転数が制御部５に送出される。尚、駆動部７のモータ及びエンコーダ９は、制御部５により制御される。また、駆動力伝達系８は、制御部５の指示により、駆動力の伝達先の切り換え等を行っている。
【００１６】
次に、本実施形態の画像記録部２は、インクを吐出して画像を記録する、所謂インクジェットヘッドを例としてカラー画像が記録可能な構成とする。異なる色のインクをそれぞれに吐出する４つの記録ヘッド１０（１０Ｋ（黒）、１０Ｃ（シアン）、１０Ｍ（マゼンタ）、１０Ｙ（黄））が搬送方向に対して、等間隔に離れて配置され、制御部５からの画像データを記録媒体に記録する。
【００１７】
搬送機構３は、これらの記録ヘッド１０のインク吐出口と対向するように記録媒体を吸着しつつ搬送するベルトプラテン部１４と、ベルトプラテン部１４のベルト１５が掛けられたローラ１６，１７，１８のいずれかを回転させるためのローラ駆動モータ１９と、駆動の基準信号を生成するためにローラ１８の回転数を検出するためのローラ用エンコーダ２０とで構成される。
【００１８】
この搬送機構３は、記録媒体供給部１から供給された記録媒体をベルト１５で吸引しつつ、画像記録部２のインク吐出口の前方を通過させて、制御部５による制御に基づき画像記録された後、記録媒体排出部４へ搬出する。
【００１９】
記録媒体排出部４は、画像記録されて排出された記録媒体を収納する排出収納部２２と、搬送機構３から記録媒体を受け取り、排出収納部２２へ搬送する排出ローラ対２１とで構成される。
【００２０】
また、制御部５は、ＣＰＵ５ａ、タイマ５ｂ、ＲＯＭ５ｃ及びＲＡＭ５ｄ等を含むパーソナルコンピュータによって構成されている。制御部５は、記録媒体供給部１と画像記録部２と搬送機構３と記録媒体排出部４とそれぞれ接続され、これらの駆動を制御する。この制御部５は、記録媒体供給部１においては、駆動部７と駆動力伝達系８を介して、ピックアップローラ１２及びレジストレーションローラ対１３の駆動を制御する。また制御部５は、搬送機構３においては、ベルトプラテン部１４とローラ駆動モータ１９とローラ用エンコーダ２０に接続されており、これらの駆動を制御する。さらに制御部５は、記録媒体排出部４においては、駆動部７及び駆動力伝達系８を介して排出ローラ対２１の駆動を制御する。
【００２１】
このように構成された画像記録装置における本実施形態による記録媒体供給方法について説明する。尚、前述した一連の記録媒体搬送に関わる駆動系負荷は、全て駆動力伝達系エンコーダ９の累積パルス数計数結果に応じて駆動タイミングが制御される。また、それぞれの駆動系負荷の駆動タイミングは搬送される用紙の長さにより決定される。
【００２２】
次に、本実施形態における第１の例として、同じサイズ（長さ）の記録媒体が複数の記録媒体収納部１１（１１ａ，１１ｂ，１１ｃ）に収納されている場合の連続記録動作について説明する。
【００２３】
記録媒体供給部１から供給された記録媒体は、画像記録部２にて画像を記録され、排出ローラ対２１に搬送される。連続片面記録時の、記録媒体の供給開始タイミングを決定する場合、次の条件を満たす必要がある。
【００２４】
［条件］  
記録媒体供給部１から供給された画像記録媒体は、上位装置から記録指示された順に画像記録されて排出されなければならない。つまり、記録媒体の供給開始タイミングに依らず、先に記録指示された記録媒体が排出ローラ対２１を通過し終えてから、次に記録指示された記録媒体が排出ローラ対２１を到達又は通過を始めなければならない。
【００２５】
図３（ａ）に示すタイミングチャートは、所定の時刻（エンコーダパルス累積値）に記録媒体収納部１１ｃから供給が開始された記録媒体が搬送経路６ｃを経て、レジストレーションローラ対１３を通過している時刻を＜１Ｃ＞とし、排出ローラ対２１を通過している時刻を＜２Ｃ＞として示している。
【００２６】
図３（ｂ）に示すタイミングチャートは、記録媒体収納部１１ｃから供給が開始された記録媒体が搬送経路６ａを経て、レジストレーションローラ対１３を通過している時刻を＜１Ａ＞、排出ローラ対２１を通過している時刻を＜２Ａ＞として示している。尚、本実施形態では、供給のための搬送路における記録媒体の搬送速度が同じであるものとして、記録媒体収納部１１ｃからレジストレーションローラ対１３までの搬送経路６ｃの距離が、記録媒体収納部１１ｃからレジストレーションローラ対１３までの搬送経路６ａの距離より長いため、搬送経路６ｃの通過時間Ｔ１＞搬送経路６ａの通過時間Ｔ２として、Ｔ１＞Ｔ２の関係となる。
【００２７】
以下、この表現方法を用いて、記録媒体へ連続片面記録した時の供給開始タイミング決定方法について説明する。
【００２８】
上位装置より記録媒体収納部１１ｃに収納されている記録媒体３１（Sheet-#1）の記録指令を受けると、その時刻を起点として、図４（ａ）に示すように、Sheet-#1の用紙搬送タイミングをスケジューリングし、記録媒体収納部１１ｃより記録媒体３１を取り出して供給を開始する。
【００２９】
続いて、上位装置より記録媒体収納部１１ｃに収納されている記録媒体３２（Sheet-#2）の記録指令を受けると、図４（ｂ）に示すように、その時刻を起点としてSheet-#2の用紙搬送タイミングを仮スケジューリングする。しかし、この用紙搬送タイミングでは、前述した［条件］を満たしていないため、Sheet-#1の排出前にSheet-#2が排出されることになる。
【００３０】
そこで前述した［条件］を満たすように、Sheet-#2の供給開始時刻を遅延させて排出ローラ対２１における通過時刻のオーバーラップを解消する。この遅延量については、次のように算出する。
【００３１】
図５（ａ）の例では、先行記録媒体３１（Sheet-#1）が排出ローラ対２１を通過終了する予定時刻Ｔpeとし、後続記録媒体３２（Sheet-#2）が排出ローラ対２１を通過開始する予定時刻Ｔcsとして、これらより決定されるオーバーラップ量（Ｔpe−Ｔcs）を計算する。但し、これには図示しない、予め定められている所定量のページギャップに対応する時間が含まれる。この計算結果が正の値である場合（０を超える場合）には、この値が先行記録媒体３１と後続記録媒体３２のオーバーラップ時間（オーバーラップ量／記録媒体の搬送速度）であり、図５（ｂ）に示すように、求められた時間ＴAだけ後続記録媒体３２（Sheet-#2）の供給開始タイミングを遅延させる。
【００３２】
また図５（ｃ）の例においては、先行記録媒体３１（Sheet-#1）が排出ローラ対２１を通過終了する予定時刻Ｔpe、後続記録媒体３２（Sheet-#2）が排出ローラ対２１を通過開始する予定時刻Ｔcsによるオーバーラップ量（Ｔpe−Ｔcs）を求め、この計算結果が正の値の場合、この値が先行記録媒体と後続記録媒体のオーバーラップ時間ＴBであり、図５（ｄ）に示すように、得られた時間ＴBだけ、後続記録媒体３２（Sheet-#2）の供給開始タイミングを遅延させる。但し、これには図示しない予め定められている所定量のページギャップに対応する時間が含まれている。
【００３３】
この遅延操作により後続記録媒体３２（Sheet-#2）の用紙搬送タイミングは、図６に示すようになり、前述の［条件］を満たすことで、後続記録媒体３２（Sheet-#2）の供給開始タイミングが確定する。
【００３４】
続いて上位装置より記録媒体収納部１１ｃに収納されている記録媒体３３（Sheet-#3）の記録指令を受けると、図７に示すように、その時刻を起点として記録媒体３３（Sheet-#3）の用紙搬送タイミングを仮スケジューリングする。更に前記同様に［条件］により図８に示すように、供給タイミングが遅延されて記録媒体３３（Sheet-#3）の供給開始タイミングが確定する。
【００３５】
更に、上位装置より記録媒体収納部１１ｃに収納されている記録媒体３４（Sheet-#4）の記録指令を受けると、前述の手順と同様に、図９に示すように記録指令を受けた時刻を起点として仮スケジューリングし、［条件］により供給タイミングを遅延させて、図１０に示す記録媒体３４（Sheet-#4）の供給開始タイミングが確定する。このようにして、異なる記録媒体収納部１１からの連続片面記録の供給開始タイミングが決定される。
【００３６】
さらに比較のために、図１１（ａ）は本実施形態による画像記録装置の記録媒体供給方法であり、図１１（ｂ）は従来技術による画像記録装置の記録媒体供給方法とを示す。
【００３７】
このように本実施形態の記録媒体供給方法によれば、同じ記録媒体３１〜３４に対して、同じ記録順序で画像記録を行った場合には、画像記録に要する時間が時間Ｔm1だけ短縮することができる。
【００３８】
以上説明したように第１の例による画像記録装置の記録媒体供給方法によれば、記録媒体供給部から画像記録部までの記録媒体の供給搬送時間と、上位装置からの供給指示順に応じて、記録媒体供給部からの画像記録媒体の供給開始タイミングを決定することにより、複数の記録媒体供給部からの供給順を変更して、無駄な待機時間を減少させて、画像記録に掛かる時間を短縮させて効率よく連続的に画像記録を行うことができる。
【００３９】
次に、第２の例について説明する。  
この第２の例は、前述した一実施形態の構成により、異なるサイズの記録媒体に記録処理を行う。異なるサイズ（長さ）の記録媒体が複数の記録媒体収納部１１に収納されている場合の連続記録動作について説明する。ここでは、記録媒体収納部１１ｃに収納されている記録媒体のサイズと記録媒体収納部１１ｃに収納されている記録媒体のサイズが異なり、これらに片面連続記録を行う時の供給開始タイミング決定方法について説明する。
【００４０】
図１２（ａ）に示すタイミングチャートは、記録媒体収納部１１ｃから供給が開始され、た記録媒体におけるレジストレーションローラ対１３を通過している時刻を＜１Ｃ＞、排出ローラ対２１を通過している時刻を＜２Ｃ＞として示している。図１２（ｂ）に示すタイミングチャートは、記録媒体収納部１１ｃから供給が開始された記録媒体におけるレジストレーションローラ対１３を通過している時刻を＜１Ａ＞、排出ローラ対２１を通過している時刻を＜２Ａ＞として示している。
【００４１】
尚、第２の例では、供給のための搬送路における記録媒体の搬送速度が同じであるものとして、記録媒体収納部１１ｃからレジストレーションローラ対１３までの搬送経路６ｃの距離が、記録媒体収納部１１ｃからレジストレーションローラ対１３までの搬送経路６ａの距離より長いため、搬送経路６ｃの通過時間Ｔ１＞搬送経路６ａの通過時間Ｔ２として、Ｔ１＞Ｔ２の関係となる。また、記録媒体収納部１１ｃに収納されている記録媒体４１の長さが、記録媒体収納部１１ｃに収納されている記録媒体４２の長さよりも長いため、記録媒体４１，４２がレジストレーションローラ対１３を通過する時間をＬ１、Ｌ２とすると、Ｌ１＞Ｌ２の関係になっている。
【００４２】
図１３に示すように、まず記録媒体収納部１１ｃに収納されている記録媒体４１（Sheet-#1）、記録媒体収納部１１ｃに収納されている記録媒体４２（Sheet-#2），記録媒体収納部１１ｃに収納されている記録媒体４３（Sheet-#3）、記録媒体収納部１１ｃに収納されている記録媒体４４（Sheet-#4）、記録媒体収納部１１ｃに収納されている記録媒体４５（Sheet-#5）の順で、上位装置から記録指令を受信したとすると、前述した［条件］を満足するように、記録媒体４２（Sheet-#2）から記録媒体４５（Sheet-#5）の供給開始タイミングを順次遅延させて決定する。
【００４３】
このように各記録媒体において、レジストレーションローラ対１３の通過時刻と、排出ローラ対２１の通過時刻が重ならず、また記録媒体の搬送順番が入れ替わらないように遅延させて供給開始タイミングを決定する。
【００４４】
さらに比較のために、図１４（ａ）は第２の例による画像記録装置の記録媒体供給方法であり、図１４（ｂ）は従来技術による画像記録装置の記録媒体供給方法とを示す。
【００４５】
このように第２の例の記録媒体供給方法によれば、同じ記録媒体４１〜４４に対して、同じ記録順序で画像記録を行った場合には、画像記録に要する時間が時間Ｔm2だけ短縮することができる。
【００４６】
本発明の画像記録装置の記録媒体供給方法によれば、記録媒体供給部から画像記録部までの記録媒体の供給搬送時間と、上位装置からの供給指示順に応じて、記録媒体供給部からの画像記録媒体の供給開始タイミングを決定することにより、複数の記録媒体供給部からの供給順を変更して、無駄な待機時間を減少させて、画像記録に掛かる時間を短縮させて効率よく連続的に画像記録を行うことができる。また、複数の記録媒体供給部に収納されている記録媒体のサイズ（長さ）が各々異なっていても、効率よく連続的に画像記録を行うことができる。
【００４７】
また、本発明は、前述した第１の例及び第２の例に限定されるものではなく、実施段階では、その要否を逸脱しない範囲で要素を変形して具体化できる。尚、前述した実施形態では、記録媒体のサイズ（長さ）を考慮した例について説明しているが、画像データの容量や画像解像度の違いにより、記録媒体へ画像が記録される時間が異なる場合についても同様考慮して、供給開始タイミングを決定している。
【図面の簡単な説明】
【００４８】
【図１】本発明の一実施形態に係る記録媒体供給方法を実現するための画像記録装置の概略的な構成を示す図である。
【図２】一実施形態の画像記録装置におけるブロック構成図である。
【図３】図３（ａ）は、第１の例として記録媒体収納部から供給される記録媒体の用紙搬送状態の一例を示すタイミングチャート、図３（ｂ）は、記録媒体収納部から供給される記録媒体の用紙搬送状態の一例を示すタイミングチャートである。
【図４】図４（ａ）は第１記録媒体に対する供給開始タイミングが決定されたタイミングチャート、図４（ｂ）は第２記録媒体に対する供給開始タイミングを仮スケジューリングした状態を表すタイミングチャートである。
【図５】図５（ａ）乃至（ｄ）は、先行用紙と後続用紙間にページギャップの確保について説明するための図である。
【図６】本発明における条件が満たされて供給開始タイミングが決定されたタイミングチャートである。
【図７】第３記録媒体について条件判断と供給開始タイミング遅延を繰り返し、全ての条件が満たされて供給開始タイミングが決定されたタイミングチャートである。
【図８】第３記録媒体について条件判断と供給開始タイミング遅延を繰り返し、全ての条件が満たされて供給開始タイミングが決定されたタイミングチャートである。
【図９】第４記録媒体について条件判断と供給開始タイミング遅延を繰り返し、全ての条件が満たされて供給開始タイミングが決定されたタイミングチャートである。
【図１０】第４記録媒体について条件判断と供給開始タイミング遅延を繰り返し、全ての条件が満たされて供給開始タイミングが決定されたタイミングチャートである。
【図１１】本発明の一実施形態による連続記録時間と従来の連続記録時間との比較図である。
【図１２】図１２（ａ）は、本発明の第２の例に係る記録媒体供給方法を説明するためのタイミングチャート、図１２（ｂ）は同実施形態における記録媒体収納部から供給される記録媒体の用紙搬送状態の一例を示すタイミングチャートである。
【図１３】第２の例における第１の記録媒体から第５の記録媒体に対する供給開始タイミングが決定されたタイミングチャートである。
【図１４】第２の例による連続記録時間と従来の連続記録時間との比較図である。
【符号の説明】
【００４９】
１…記録媒体供給部、２…画像記録部、３…搬送機構、４…記録媒体排出部、５…制御部、５ａ…ＣＰＵ、５ｂ…タイマ、５ｃ…ＲＯＭ、５ｄ…ＲＡＭ、６，６ａ，６ｂ，６ｃ…供給搬送経路、７…駆動部、８…駆動力伝達系、９…エンコーダ、１０，１０Ｋ、１０Ｃ、１０Ｍ、１０Ｙ…記録ヘッド、１１，１１ａ，１１ｂ，１１ｃ…記録媒体収納部、１２，１２ａ，１２ｂ，１２ｃ…ピックアップローラ、１３…レジストレーションローラ対、１４…ベルトプラテン部、１５…ベルト、１６，１７，１８…ローラ、１９…ローラ駆動モータ、２０…ローラ用エンコーダ、２１…排出ローラ対、２２…排出収納部。
【図１】
2006044805.tif 000003
【図２】
2006044805.tif 000004
【図３】
2006044805.tif 000005
【図４】
2006044805.tif 000006
【図５】
2006044805.tif 000007
【図６】
2006044805.tif 000008
【図７】
2006044805.tif 000009
【図８】
2006044805.tif 000010
【図９】
2006044805.tif 000011
【図１０】
2006044805.tif 000012
【図１１】
2006044805.tif 000013
【図１２】
2006044805.tif 000014
【図１３】
2006044805.tif 000015
【図１４】
2006044805.tif 000016